(57)【要約】  【課題】  ＨＤ対応撮像装置等においては、特に小型の表示装置でフォーカス調整をする場合、単に撮像画面の一部を拡大するだけではフォーカス調整することが困難であった。この課題を解決し操作性の良い撮像装置の提供を目的とする。  【解決手段】  入力輝度信号の高周波成分を抽出する高周波成分抽出回路１と、撮像画面を複数の領域に分割し、分割領域に合わせてゲート信号を出力する領域ゲート信号発生回路５と、各領域の高周波成分抽出回路１の最大値を検出する最大値検出回路２と、前記最大値検出回路２の各出力から画面全体の最大値が存在する領域を判定する最大値領域判定回路３と、任意画面位置を拡大する画面拡大回路４を備え、撮像画面の高周波成分最大の領域を拡大した信号を表示信号として出力することにより、容易にフォーカス調整を行うことができる。【選択図】  図１
2005184585.tif 000002
【特許請求の範囲】
【請求項１】
入力撮像信号の高周波成分を抽出する高周波成分抽出回路と、前記入力撮像信号に対して撮像画面上を複数の領域に分割し各領域に対応するゲート信号を出力する領域ゲート信号発生回路と、前記高周波成分抽出回路の出力信号と前記領域ゲート信号発生回路の出力信号を受け、フォーカスアシスト機能スタート信号に同期して各領域毎の高周波成分の最大値を検出する最大値検出回路と、前記最大値検出回路の各出力信号から撮像画面全域においての高周波成分最大値の領域を判定する最大値領域判定回路と、前記最大値領域判定回路の出力信号を受け、前記入力撮像信号の高周波成分最大値の領域を選択し拡大する画面拡大回路とを備えたことを特徴とする撮像装置。
【請求項２】
前記フォーカスアシスト機能スタート信号が任意のフィールドに同期して出力され、前記最大値検出回路がそのフィールドの高周波成分の最大値を検出し保持することを特徴とする請求項１に記載の撮像装置。
【請求項３】
入力撮像信号の高周波成分を抽出する高周波成分抽出回路と、前記入力撮像信号に対して撮像画面上を複数の領域に分割し各領域に対応するゲート信号を出力する領域ゲート信号発生回路と、前記高周波成分抽出回路の出力信号と前記領域ゲート信号発生回路の出力信号を受け、フォーカスアシスト機能スタート信号に同期して各領域毎の高周波成分の最大値とその最大値の位置を検出する最大値及び最大値位置検出回路と、前記最大値及び最大値位置検出回路の各出力信号から撮像画面全域においての高周波成分最大値の領域とその最大値の撮像画面上の位置を判定する最大値領域及び最大値位置判定回路と、前記最大値領域及び最大値位置判定回路の出力信号を受け、前記入力撮像信号の高周波成分最大値領域の最大値位置付近を選択し拡大するとともに、さらに撮像画面の中央付近をそのまま、もしくは拡大し、前記高周波成分最大値の領域の拡大した画面と分割して出力する画面拡大回路とを備え、撮像画面中央領域と高周波成分最大値位置を含む領域を拡大して両方表示することを特徴とする撮像装置。
【請求項４】
前記フォーカスアシスト機能スタート信号が任意のフィールドに同期して出力され、前記最大値及び最大値位置検出回路がそのフィールドの高周波成分の最大値及び最大値位置を検出し保持することを特徴とする請求項３に記載の撮像装置。
【発明の詳細な説明】
【技術分野】
【０００１】
本発明は、撮像時のフォーカス調整の操作性を向上する撮像装置に関するものである。
【背景技術】
【０００２】
従来のフォーカス調整の操作性を向上する撮像装置としては特開２００１−２１１３５１号公報に記載されたものがある。これは、比較的小さな表示装置であっても合焦していることを確認できるようにするものである。
【０００３】
その撮像装置のブロック図を図１６に示す。これはデジタルスチルカメラの電気的構成を示している。
【０００４】
図１６において、３０は２段ストロークタイプのシャッタ、３１はレンズのフォーカスを調整する焦点調節装置、３２は全体のシステムを制御するＣＰＵ、３３は焦点調節装置３１でフォーカスが調節されるフォーカスレンズ、３４は所定の画素数を持つ撮像装置、３５は撮像装置３４から出力される画像データの拡大、縮小処理を行い画像サイズを変換する画像データ変換装置、３６は画像を表示する為のデータを記憶する画像表示用一時記憶装置、３７は電子ビューファインダー、３８は画像データを記録する画像記録装置である。
【０００５】
また、図１７は画像表示用一時記憶装置３６の内部構成を示す構成図で、３９，４２は接続切換え装置、４０，４１は第１，第２の画像メモリ、４３は接続切換え装置３９，４２及び画像データ変換装置３５及び電子ビューファインダー３７に同期信号を供給する同期信号生成回路である。
【０００６】
以上のように構成された、従来の撮像装置について動作説明する。
【０００７】
デジタルスチルカメラの場合、被写体像を結像する為のフォーカスレンズ３３が含まれているが、シャッタ３０が半押しされるとその信号がＣＰＵ３２に入力され、ＣＰＵ３２で焦点調節状態と判定し、焦点調節装置３１によりフォーカスレンズ３３のフォーカスが調整される。フォーカスレンズ３３で合焦された被写体像は撮像装置３４に結像し、撮像装置３５からはその被写体像の画像データが出力される。この例の場合、撮像装置３４には水平２４００画素、垂直１８００画素の約４００万画素のＣＣＤが内蔵されており、そのデータを画像記録装置３８あるいは、電子ビューファインダー３７に出力する為に、データ圧縮や画像の拡大、縮小などの処理を画像データ変換装置３５が施す。画像データ変換装置３５から出力された画像データは、画像表示用一時記憶装置３６に出力され、一時的に記憶される。画像データは画像表示用一時記憶装置３６から読み出され電子ビューファインダー３７に出力される。この場合、電子ビューファインダー３７には被写体像が動画表示される。一方、記録用の画像データはシャッタ３０が全押しされた瞬間に画像記録装置３８で記録される。ここで、フォーカスレンズ３２の焦点調節が行われている間に電子ビューファインダー３７の表示画面に表示されている画像の倍率は、シャッタ３０が押されていない時に電子ビューファインダ３７の表示画面に表示されている画像の倍率に比べて大きくなるように、画像データ変換装置３５によって画像データが補正される。焦点調節時には、電子ビューファインダー３７の表示画面（水平６４０画素、垂直４８０画素）に表示される画像の倍率が大きくなるので、合焦しているかどうかの確認が比較的容易になる。ここで画像表示用一時記憶装置３６の動作を説明する。画像表示用一時記憶装置３６には、それぞれ一こま（一フレーム）分の容量を有する第１の画像メモリ４０，第２の画像メモリ４１が含まれている。画像データ変換装置３５から出力された画像データは、接続切換え装置３９によって第１の画像メモリ４０または、第２の画像メモリ４１のいずれか一方に書き込まれる。また、接続切換え装置４２によって画像データを書き込んでいる画像メモリ以外の他方の画像メモリから書き込まれた画像データが読み出されるように切り換えられ電子ビューファインダー３７に出力される。これにより、通常画像、拡大画像が切り換わる時の画像の乱れを防いでいる。
【０００８】
ここで、図１８を用いて、撮像画像と、画角確認用画像Ｐ１の関係、撮像画像と合焦確認用画像Ｐ２との関係を示す。シャッタ３０が半押しされていない通常状態では、撮像画像はそのままの画角を保って図１８（ａ）に示すように水平２４００画素、垂直１８００画素データが、水平６４０画素、垂直４８０画素に間引きかれ出力される。一方、シャッタ３０が半押しされた場合は、合焦範囲Ａ１のサイズの画像が、水平６４０画素、垂直４８０画素の電子ビューファインダー３７の表示画面に表示されるように拡大処理され、図１８（ｂ）に示すように拡大表示される。この合焦確認用画像Ｐ２は画角確認用画像Ｐ１に比べて倍率が大きいので、液晶などの電子ビューファインダー３７の表示画面が小さくても合焦の確認が比較的容易となる。
【特許文献１】特開２００１−２１１３５１号公報（段落番号［００１５］）
【発明の開示】
【発明が解決しようとする課題】
【０００９】
しかしながら上記従来の撮像装置においては、フォーカス調整する場合に拡大する画面の取り出す領域が、合焦範囲Ａ１の範囲ということで、その部分を拡大してもフォーカスの合焦状態が分かりにくい被写体の場合は、さらに拡大率を上げても合焦状態を判断することが難しい場合があった。これは特にワイド画像の場合に顕著になる。
【００１０】
本発明は上記従来の問題点を解決するもので、オートフォーカス用の合焦範囲Ａ１の範囲で合焦状態が分かりにくい被写体の場合でも、フォーカス調整を容易とすることができフォーカス調整の操作性を向上させた撮像装置を提供することを目的とする。
【課題を解決するための手段】
【００１１】
本発明の請求項１に記載の発明は、入力撮像信号の高周波成分を抽出する高周波成分抽出回路と、前記入力撮像信号に対して撮像画面上を複数の領域に分割し各領域に対応するゲート信号を出力する領域ゲート信号発生回路と、前記高周波成分抽出回路の出力信号と前記領域ゲート信号発生回路の出力信号を受け、フォーカスアシスト機能スタート信号に同期して各領域毎の高周波成分の最大値を検出する最大値検出回路と、前記最大値検出回路の各出力信号から撮像画面全域においての高周波成分最大値の領域を判定する最大値領域判定回路と、前記最大値領域判定回路の出力信号を受け、前記入力撮像信号の高周波成分最大値の領域を選択し拡大する画面拡大回路とを備えたものであり、高周波成分抽出回路は入力撮像信号の高周波成分を抽出する。領域ゲート信号発生回路は画面を各領域に分割するゲート信号を発生する。最大値検出回路は、高周波成分と領域ゲート信号により画面の分割された各領域の高周波成分の最大値を抽出する。さらに最大値領域判定回路は各領域での最大値を比較し、分割された画面のどの領域が高周波成分の最大値を持つか判定する。画面拡大回路は最大値領域判定回路の領域指定を受け、その領域を拡大する作用を有する。
【００１２】
本発明の請求項３に記載の発明は、入力撮像信号の高周波成分を抽出する高周波成分抽出回路と、前記入力撮像信号に対して撮像画面上を複数の領域に分割し各領域に対応するゲート信号を出力する領域ゲート信号発生回路と、前記高周波成分抽出回路の出力信号と前記領域ゲート信号発生回路の出力信号を受け、フォーカスアシスト機能スタート信号に同期して各領域毎の高周波成分の最大値とその最大値の位置を検出する最大値及び最大値位置検出回路と、前記最大値及び最大値位置検出回路の各出力信号から撮像画面全域においての高周波成分最大値の領域とその最大値の撮像画面上の位置を判定する最大値領域及び最大値位置判定回路と、前記最大値領域及び最大値位置判定回路の出力信号を受け、前記入力撮像信号の高周波成分最大値領域の最大値位置付近を選択し拡大するとともに、さらに撮像画面の中央付近をそのままもしくは拡大し、前記高周波成分最大値の領域の拡大した画面と分割して出力することが可能な画面拡大回路とを備えたものであり、高周波成分抽出回路は入力撮像信号の高周波成分を抽出する。領域ゲート信号発生回路は画面を各領域に分割するゲート信号を発生する。最大値及び最大値位置検出回路は、高周波成分と領域ゲート信号により画面の分割された各領域の高周波成分の最大値と、その画面上の位置を抽出する。さらに最大値領域判定回路は各領域での最大値を比較し、分割された画面のどの領域が高周波成分の最大値を持つか判定し、かつ判定された領域に対応した高周波成分最大値の位置を保持する。画面拡大回路は最大値領域及び最大値位置判定回路の領域指定及び最大値位置指定を受け、最大値位置付近を拡大すると共に、画面中央付近の領域の拡大した信号もしくは拡大していない原信号と分割して出力する作用を有する。
【発明の効果】
【００１３】
以上のように本発明は、撮像画面の高周波成分の最大値領域を検出しその領域を拡大して表示する為、フォーカス調整が難しい被写体の場合でも、一番フォーカス調整がし易い領域の拡大信号で調節することが可能となり、フォーカス調整を容易にすることができる優れた効果が得られる。
【００１４】
また、本発明は、撮像画面の高周波成分の最大値領域とその最大値位置を検出しその領域の最大値位置付近を拡大して、さらに画面中央領域の信号もしくはその拡大信号と分割して画面表示する為、フォーカス調整が難しい被写体の場合でも、一番フォーカス調整がし易い領域の拡大信号と、画面中央領域の両方の信号を確認しながら調節することが可能となり、特に中央付近を意識したフォーカス調整の場合でも適切な調整をすることができる優れた効果が得られる。
【発明を実施するための最良の形態】
【００１５】
以下、本発明の実施の形態について、図１から図１４を用いて説明する。
【００１６】
（実施の形態１）
図１は本発明の実施の形態１における撮像装置の構成を示すブロック図である。
【００１７】
図１において、１は撮像信号の高周波成分を抽出する高周波成分抽出回路で、ハイパスフィルタ等により構成される。５は撮像画面の領域を分割する領域ゲート信号発生回路、２は前記高周波成分抽出回路１の出力信号と領域ゲート信号発生回路５のゲート信号を受け、フォーカスアシスト機能スタート信号に同期して各領域での高周波成分の最大値を検出する最大値検出回路、３は最大値検出回路２の信号を受け、各領域での最大値信号をさらに比較し撮像画面全体での高周波成分の最大値領域を判定する最大値領域判定回路、４は最大値領域判定回路３の出力信号を受け、入力撮像画面のその領域を拡大した信号を出力する画面拡大回路である。なお各回路で必要なフィルタ回路、比較回路、切換回路等はデジタル回路で構成されている。
【００１８】
以上のように構成された実施の形態１による撮像装置の動作について、図２から図８を用いて以下説明する。
【００１９】
図２、図３は高周波成分抽出回路１の抽出する高周波成分についての概要説明図で、図２が周波数特性図、図３が信号波形図を示す。図４は最大値検出回路２の内部構成を示すブロック図で、６は領域信号によって各領域を選択する為にゲートするゲート回路、７はゲート回路６の出力信号を絶対値信号へ変換する絶対値回路、８は絶対値回路７の出力信号から各領域での最大値を検出する為の比較回路、９はセレクタ、１０はデータ保持するフリップフロップ回である。図５は最大値領域判定回路３の内部構成を示すブロック図で、１１は各領域の最大値信号を比較する比較回路、１２は比較回路１１の比較結果から最大値の領域を判定する為の信号を出力する領域判定信号発生回路である。図６は画面拡大回路４の内部構成を示すブロック図で、１３は入力輝度信号を読み書きし所定の領域を出力するフィールドメモリ、１４はフィールドメモリ１３の書込み、読出しの制御を行う書込み，読出しコントロール回路、１５は入力輝度信号とフィールドメモリ１３の出力信号を切換え表示部へ出力する選択回路である。また、図７及び図８は本実施の形態１での動作の概念を示す画面の表示例を示す。図７が４倍拡大の場合で、図８が９倍拡大の場合を示している。
【００２０】
図１において、入力輝度信号は図示していないＣＣＤ（チャージ・カップルド・デバイス）等より出力される撮像信号に撮像装置の所定の処理が施されたものである。高周波成分抽出回路１はハイパスフィルタ回路等で構成されこの入力輝度信号の高周波成分を抽出する。その周波数特性図は例えば図２に示すようになり高周波の周波数Ｆ１やＦ２をブーストするハイパスフィルタの特性となる。図３は高周波成分抽出回路１により抽出された信号成分を示し、入力輝度信号図３（ａ）に対し、同図（ｂ１）、（ｂ２）のような信号を出力する。つまり、撮像装置のアパーチャ補正回路やディテール補正回路と同等の画像の輪郭信号を出力する。
【００２１】
領域ゲート信号発生回路５は、撮像画面の領域を分割し各領域を示す領域ゲート信号を出力する。
【００２２】
最大値検出回路２の内部構成のブロック図を図４に示すが、最大値検出回路２は高周波成分抽出回路１の出力信号と領域ゲート信号発生回路５のゲート信号を受け、各領域での高周波成分の最大値を検出する。その動作は、図示していないマイクロコンピュータ等から出力されるフォーカスアシスト機能スタート信号に同期して行われる。例えば、その信号がＯＮ状態になったフィールドのみ検出動作を行い、再度入力されるまでは、検出データを保持するようにする。図４のゲート回路６では各領域に対応する信号時のみ出力するようにゲート信号（Ａｒ１〜Ａｒ４）がその領域でアクティブになる。ゲート回路６の出力信号は絶対値回路７で絶対値信号に変換され、比較回路８及びセレクタ９へ入力される。比較回路８は入力信号とあらかじめ設定された初期の設定値とを比較し入力信号が大きいければセレクタ９で入力信号を選択し、データ保持用のフリップフロップ回路１０へ出力する。フリップフロップ回路１０は比較回路８が大きい信号を判定した時、その信号を保持するように動作する。このようにフリップフロップ１０の出力データと入力信号を順次比較していき、その領域での最大値信号を検出する。このような処理を各領域で行い、各領域に対する高周波成分の最大値を検出し、次段の最大値領域判定回路へ出力する。この例の場合、領域は４分割されており、各領域の最大値が計４種類出力されている。
【００２３】
最大値領域判定回路３の内部構成は図５のように構成され、最大値検出回路２より出力された４種類の最大値が比較回路１１に入力される。比較回路１１で各領域の最大値の中の最大値、つまり撮像画面全体の最大値を判定し、領域判定信号発生回路１２へ出力する。領域判定信号発生回路１２は比較回路１１の結果に基づき、その領域を示す信号を発生する。例えば、その領域の全体の画面に対する水平位置，垂直位置等を示す信号である。
【００２４】
画面拡大回路４は図６のような内部構成になる。入力輝度信号をフィールドメモリ１３で書込み、読出し信号を拡大するように、読出し領域、データ読出し速度を変える。この読み書きのコントロールを書込み、読出しコントロール回路１４で行う。読出しコントロール回路１４は最大値領域判定回路３の出力信号及び図示していないマイクロコンピュータ等により、その制御を実行する。例えば図７に示す様に入力撮像信号の画面が４分割された信号で、領域2)が高周波成分最大（Ｍａｘ−Ｐの位置）と判定された場合、その領域を書込み４倍拡大画像が出力される様に読出しがコントロールされる。さらにその信号と入力輝度信号を選択回路１５で切換えて出力する。また、図８は撮像画面を９分割した場合を示し、画面拡大回路４の動作も９倍拡大画像出力になるように動作した場合を示している。
【００２５】
以上のように本発明の実施の形態１によれば、撮像画面の高周波成分の最大値領域を検出しその領域の拡大画像を表示することができ、いかなる被写体においてもフォーカス調整に必要な高周波成分つまり輪郭（エッジ）信号が最大値領域の画像でフォーカス調整をすることが可能な為、容易にフォーカスを合わせることができる。
【００２６】
なお、高周波成分の抽出の仕方、最大値の検出の仕方、最大値領域の判定の仕方、画像拡大の仕方はこの実施例に限らず、他の手法を取っても良く、また領域の分割数及び分割の仕方等も撮像画面のサイズ、表示画面のサイズに合わせて、最適化を図れることは言うまでもない。
【００２７】
また、拡大表示に加えさらに表示上見やすくしてフォーカスを調節しやすくする為、画像の輪郭部を強調する等、拡大表示に合わせ撮像措置の各種設定を切換えていいことは言うまでもない。
【００２８】
（実施の形態２）
図９は本発明の実施の形態２における撮像装置の構成を示すブロック図である。
【００２９】
図９において、１は撮像信号の高周波成分を抽出する高周波成分抽出回路で、ハイパスフィルタ等により構成される。５は撮像画面の領域を分割する領域ゲート信号発生回路、１６は前記高周波成分抽出回路１の出力信号と領域ゲート信号発生回路５のゲート信号を受け、フォーカスアシスト機能スタート信号に同期して各領域での高周波成分の最大値及び最大値の位置を検出する最大値及び最大値位置検出回路、１７は最大値及び最大値位置検出回路１６の信号を受け、各領域での最大値信号をさらに比較し撮像画面全体での高周波成分の最大値領域及びその画面上での位置を判定する最大値領域及び最大値位置判定回路、１８は最大値領域及び最大値位置判定回路１７の出力信号を受け、入力撮像画面を所定の領域を拡大した信号を出力する画面拡大回路である。なお各回路で必要なフィルタ回路、比較回路、切換回路等はデジタル回路で構成されている。
【００３０】
以上のように構成された実施の形態２による撮像装置の動作について、図１０から図１５を用いて以下説明する。
【００３１】
本実施の形態２が実施の形態１と違うのは、最大値検出回路２及び最大値領域判定回路３に換えて、最大値及び最大値位置検出回路１６及び最大値領域及び最大値位置判定回路１７を備え、それぞれの回路が高周波成分の最大値信号に加え、その画面上の位置も検出あるいは判定して出力するという点である。さらに画面拡大回路１８がその高周波成分の最大値位置付近の信号と、画面の中央付近の画像信号をそれぞれ拡大し、分割して同時に表示する様にした点である。
【００３２】
実施の形態１と同様に高周波成分抽出回路１で抽出された高周波成分は、図１０の最大値及び最大値位置検出回路１６へ入力される。図１０は最大値及び最大値位置検出回路１６の内部構成を示すブロック図であるが、実施の形態１と同様に、ゲート回路６、絶対値回路７、比較回路８、セレクタ９、フリップフロップ回路１０及び最大値位置検出回路１９で構成される。最大値位置検出回路１９以外、実施の形態１と同様な回路なので、その動作説明は省略する。
【００３３】
最大値位置検出回路１９では、比較回路８からの比較信号により最大値位置を保持する動作を行う。つまり、入力信号の最大値データが出力される度にその位置データを更新し、最後の位置データを保持することにより、その領域の最大値の位置情報を保持する。最大値及び最大値位置検出回路１６からは、各領域の高周波成分の最大値とその領域での最大値位置情報が次段の最大値領域及び最大値位置判定回路１７へ出力される。
【００３４】
図１１は最大値領域及び最大値位置判定回路１７の内部構成を示すブロック図で、実施の形態１と同様に、比較回路１１、領域判定信号発生回路１２及び最大値位置情報選択回路２０、最大値位置判定信号発生回路２１より構成される。比較回路１１及び領域判定信号発生回路１２は実施の形態１と同様な回路なので、その動作説明は省略する。
【００３５】
最大値位置情報選択回路２０は各領域から出力される最大値位置情報を、比較回路１１の出力信号により選択する。この実施例の場合も領域を４分割した場合を示しており、例えば領域2)の最大値が全画面での最大値と判定されれば、その最大値位置情報2)が選択される。選択された最大値位置情報は最大値位置判定信号発生回路２１に入力され、画面全体に対する最大値の位置情報を最大値位置判定信号として出力する。この最大値領域及び最大値位置判定回路１７からの出力信号は画面拡大回路１８へ入力される。図１２に画面拡大回路１８の構成を示すブロック図を示しているが、その動作が違うのは高周波成分の最大値領域付近を拡大表示するのみならず、あらかじめ設定していた画面の中央付近の信号をそのまま、もしくは拡大して、高周波成分の最大値領域付近の拡大画像と中央付近の拡大画像を分割して同時に表示する様にしている点である。回路構成は実施の形態１と同様にフィールドメモリ２２、選択回路２３、書込み，読出しコントロール回路１４より構成される。書込み，読出しコントロール回路には、最大値領域及び最大値位置判定回路１７の出力信号が入力され、最大値領域及び画面上の最大値位置情報が書込み，読出しコントロール回路１４に知らされる。書込み，読出しコントロール回路１４は、あらかじめ設定された画面中央付近の書込み及び読出し情報と最大値領域の情報により、フィールドメモリ２２へ書込み読出しパルスを出力する。フィールドメモリ２２はその情報に基づき、画面中央の領域をそのままかあるいは拡大して出力すると共に、高周波成分最大値の領域を書込み拡大して選択回路２３へ出力する。選択回路２３では図示していないマイクロコンピュータによりフォーカスアシスト機能のモード時は、画面中央の領域をそのままかあるいは拡大された信号と、高周波成分最大値の領域の拡大信号を分割して出力するように制御され、表示部へその分割信号を出力する。
【００３６】
図１３（ａ）、（ｂ）は本実施の形態２での動作の概念を示す画面の表示例を示している。図１３（ａ）では撮像画面を４分割した場合に、高周波成分の最大値領域が2)で、さらに最大値位置（Ｍａｘ−Ｐ）が2)の領域の比較的上部にある場合、2)の領域及び画面の中央領域を４倍拡大し、2)の領域は上部を抜き出し、画面の中央付近は上下をカットした中央付近（Ｃｅｎｔｅｒ−Ｐ）を抜き出し、2)の領域を上に、中央付近を下に分割して表示している例である。同様に図１３（ｂ）は高周波成分の最大値領域が2)でさらに最大値位置（Ｍａｘ−Ｐ）が2)の領域の比較的右側にある場合の中央付近付近の拡大画像と最大値領域の拡大画像を左右に分割して表示している例を示している。
【００３７】
また、図１４，図１５も本実施の形態２での動作の概念を示す画面の表示例を示しているが、図１３（ａ）、（ｂ）の場合と違い、高周波成分の最大値位置情報を使いその付近の拡大率を上げ、フォーカス調整をさらにし易くできるようにしたもである。図１４，図１５とも（ａ）の表示は１３（ａ）、（ｂ）と同じ場合を示しているが、それに対して図１４（ｂ），図１５（ｂ）の場合は高周波成分の最大値位置（Ｍａｘ−Ｐ）付近の拡大率をさらに上げた信号と、中央付近をそのままにした信号とを分割して表示している。さらに図１４（ｃ）及び図１５（ｃ）は高周波成分の最大値位置（Ｍａｘ−Ｐ）付近の拡大率をさらに上げた信号と、中央付近付近の拡大画像を分割して表示している例を示している。このように、高周波成分最大値領域の拡大画像と、画面中央付近の拡大画像もしくは原画像とを自由に分割して表示することが可能であり、フォーカス調整の操作性を向上できる。
【００３８】
以上のように本発明の実施の形態２によれば、高周波成分最大値領域の拡大画像と、中央付近の拡大画像もしくは原画像とを分割して表示できる為、中央付近のフォーカス状態を確認しながら高周波成分最大値の領域の拡大画像を使いフォーカス調整ができる。また、さらに高周波成分最大値領域の最大値位置付近の画像をさらに拡大し、同じように、中央付近の拡大画像もしくは原画像とを分割して表示できる為、さらにフォーカス調整をし易くすることができる。
【００３９】
なお、このような処理は、高周波成分の最大値領域及び最大値の位置が分かれば、書込み，読出しコントロール回路１４とマイクロコンピュータによって簡単にできることは言うまでもない。
【００４０】
また、各拡大画像の表示位置、及び拡大率はフォーカス調整がし易くする為に、適切に設定していいことは言うまでもない。
【産業上の利用可能性】
【００４１】
本発明にかかる撮像装置は、フォーカス調整に必要な高周波成分の最大値を検出し、その領域を拡大表示、あるいはその領域の拡大信号と画面中央付近の拡大信号もしくは原信号を分割して表示でき、フォーカス調整を容易かつ正確にできる効果を有し、特にＨＤカメラのハンディタイプ等、撮像素子が高画素になり、かつ表示系が低画素で小さい液晶等によりフォーカス調整が困難になる分野で操作性の向上した撮像装置として有用である。
【図面の簡単な説明】
【００４２】
【図１】本発明の実施の形態１における撮像装置の構成を示すブロック図
【図２】本発明の実施の形態１における撮像装置の高周波成分抽出回路１の周波数特性図
【図３】本発明の実施の形態１における撮像装置の高周波成分抽出回路１の信号波形図
【図４】本発明の実施の形態１における撮像装置の最大値検出回路２の内部構成を示すブロック図
【図５】本発明の実施の形態１における撮像装置の最大値領域判定回路３の内部構成を示すブロック図
【図６】本発明の実施の形態１における撮像装置の画面拡大回路４の内部構成を示すブロック図
【図７】本発明の実施の形態１における撮像装置の表示の仕方を示す４倍拡大の場合の概念図
【図８】本発明の実施の形態１における撮像装置の表示の仕方を示す９倍拡大の場合の概念図
【図９】本発明の実施の形態２における撮像装置の構成を示すブロック図
【図１０】本発明の実施の形態２における撮像装置の最大値及び最大値位置検出回路１６の内部構成を示すブロック図
【図１１】本発明の実施の形態２における撮像装置の最大値領域及び最大値位置判定回路１７の内部構成を示すブロック図
【図１２】本発明の実施の形態２における撮像装置の画面拡大回路１８の内部構成を示すブロック図
【図１３】本発明の実施の形態２における撮像装置の表示の仕方を示す概念図
【図１４】本発明の実施の形態２における撮像装置の表示の仕方を示す概念図
【図１５】本発明の実施の形態２における撮像装置の表示の仕方を示す概念図
【図１６】従来の撮像装置のブロック図
【図１７】従来の撮像装置の画像表示用一時記憶装置の内部構成を示す構成図
【図１８】従来の撮像装置の撮像画像と、画角確認用画像の関係、撮像画像と合焦確認用画像との関係を示す図
【符号の説明】
【００４３】
１  高周波成分抽出回路
２  最大値検出回路
３  最大値領域判定回路
４，１８  画面拡大回路
５  領域ゲート信号発生回路
６  ゲート回路
７  絶対値回路
８，１１  比較回路
９  セレクタ
１０  フリップフロップ回路
１２  領域判定信号発生回路
１３，２２  フィールドメモリ
１４  書込み，読出しコントロール回路
１５，２３  選択回路
１６  最大値及び最大値位置検出回路
１７  最大値領域及び最大値位置判定回路
１９  最大値位置検出回路
２０  最大値位置情報選択回路
２１  最大値位置判定信号発生回路
【図１】
2005184585.tif 000003
【図２】
2005184585.tif 000004
【図３】
2005184585.tif 000005
【図４】
2005184585.tif 000006
【図５】
2005184585.tif 000007
【図６】
2005184585.tif 000008
【図７】
2005184585.tif 000009
【図８】
2005184585.tif 000010
【図９】
2005184585.tif 000011
【図１０】
2005184585.tif 000012
【図１１】
2005184585.tif 000013
【図１２】
2005184585.tif 000014
【図１３】
2005184585.tif 000015
【図１４】
2005184585.tif 000016
【図１５】
2005184585.tif 000017
【図１６】
2005184585.tif 000018
【図１７】
2005184585.tif 000019
【図１８】
2005184585.tif 000020